【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
複数の信号を入力し、当該複数の信号のうち、少なくとも１つを複数の小領域に分割する分割工程と、
上記小領域を他の信号と類似するように変換したときの変換パラメータを抽出するパラメータ抽出工程と、
上記変換パラメータに基づいて求めた類似の度合いを示す値を集計する集計工程と、
当該集計の結果に基づき、上記複数の信号間の類似性を評価する類似性評価工程と
を有することを特徴とする信号処理方法。
【請求項２】
上記複数の信号間の類似する区間を抽出する類似区間抽出工程をさらに有することを特徴とする請求項１記載の信号処理方法。
【請求項３】
上記類似区間抽出工程では、上記集計の結果が最大となるところにおける上記変換パラメータと略等しい変換パラメータの抽出された上記小領域が抽出されることを特徴とする請求項２記載の信号処理方法。
【請求項４】
上記変換は、拡大及び／又はシフト変換であることを特徴とする請求項１記載の信号処理方法。
【請求項５】
相関法を用いて上記変換パラメータを求めることを特徴とする請求項４記載の信号処理方法。
【請求項６】
上記変換パラメータは、上記小領域と上記他の信号との相関値が最大となるところにおける拡大率及び／又はシフトの大きさであることを特徴とする請求項５記載の信号処理方法。
【請求項７】
上記集計工程では、上記変換パラメータを軸とする空間に、上記複数の信号間の類似の度合いを示す値が集計されることを特徴とする請求項１記載の信号処理方法。
【請求項８】
上記集計工程における上記類似の度合いを示す値は、上記複数の信号間の類似度に比例した値であることを特徴する請求項１記載の信号処理方法。
【請求項９】
上記類似度として、上記複数の信号間の相関値又は当該相関値の自乗を用いることを特徴する請求項８記載の信号処理方法。
【請求項１０】
上記複数の信号は、一の信号の異なる部分の信号であることを特徴とする請求項１記載の信号処理方法。
【請求項１１】
複数の信号を入力し、当該複数の信号のうち、少なくとも１つを複数の小領域に分割する分割工程と、
上記小領域を他の信号と類似するように変換したときの変換パラメータを抽出するパラメータ抽出工程と、
上記変換パラメータに基づいて求めた類似の度合いを示す値を集計する集計工程と、
当該集計の結果に基づき、上記複数の信号間の類似性を評価する類似性評価工程と、
上記複数の信号間の類似する区間を抽出する類似区間抽出工程と、
上記類似区間抽出工程で抽出された上記複数の信号間の類似する区間を符号化する第１の符号化工程と、
上記類似する区間以外を符号化する第２の符号化工程と
を有することを特徴とする信号処理方法。
【請求項１２】
上記パラメータ抽出工程における上記変換は、拡大及び／又はシフト変換であり、
上記第１の符号化工程では、上記類似する区間の開始時刻、拡大率及び当該類似する区間の長さの情報が符号化されることを特徴とする請求項１１記載の信号処理方法。
【請求項１３】
複数の信号を入力し、当該複数の信号のうち、少なくとも１つを複数の小領域に分割する分割手段と、
上記小領域を他の信号と類似するように変換したときの変換パラメータを抽出するパラメータ抽出手段と、
上記変換パラメータに基づいて求めた類似の度合いを示す値を集計する集計手段と、
当該集計の結果に基づき、上記複数の信号間の類似性を評価する類似性評価手段と
を備えることを特徴とする信号処理装置。
【請求項１４】
複数の信号を入力し、当該複数の信号のうち、少なくとも１つを複数の小領域に分割する分割手段と、
上記小領域を他の信号と類似するように変換したときの変換パラメータを抽出するパラメータ抽出手段と、
上記変換パラメータに基づいて求めた類似の度合いを示す値を集計する集計手段と、
当該集計の結果に基づき、上記複数の信号間の類似性を評価する類似性評価手段と、
上記複数の信号間の類似する区間を抽出する類似区間抽出手段と、
上記類似区間抽出手段によって抽出された上記複数の信号間の類似する区間を符号化する第１の符号化手段と、
上記類似する区間以外を符号化する第２の符号化手段と
を備えることを特徴とする信号処理装置。
【請求項１５】
複数の信号を入力し、当該複数の信号のうち、少なくとも１つを複数の小領域に分割する分割工程と、
上記小領域を他の信号と類似するように変換したときの変換パラメータを抽出するパラメータ抽出工程と、
上記変換パラメータに基づいて求めた類似の度合いを示す値を集計する集計工程と、
当該集計の結果に基づき、上記複数の信号間の類似性を評価する類似性評価工程と
を有することを特徴とする信号処理プログラム。
【請求項１６】
複数の信号を入力し、当該複数の信号のうち、少なくとも１つを複数の小領域に分割する分割工程と、
上記小領域を他の信号と類似するように変換したときの変換パラメータを抽出するパラメータ抽出工程と、
上記変換パラメータに基づいて求めた類似の度合いを示す値を集計する集計工程と、
当該集計の結果に基づき、上記複数の信号間の類似性を評価する類似性評価工程と
を有することを特徴とする信号処理プログラムが記録されたコンピュータ制御可能な記録媒体。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
このような信号処理装置は、入力された複数の信号の少なくとも１つを複数の小領域に分割し、その小領域毎に他の信号との類似性を求め、それらを集計することによって複数の信号間の類似性を評価する。
【手続補正５】
【補正対象書類名】明細書
【補正対象項目名】００２０
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】変更
【補正の内容】
【００２５】
このような信号処理プログラムは、入力された複数の信号の少なくとも１つを複数の小領域に分割し、その小領域毎に他の信号との類似性を求め、それらを集計することによって複数の信号間の類似性を評価する。
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】変更
【補正の内容】
【００３２】
このような記録媒体に記録されている信号処理プログラムは、入力された複数の信号の少なくとも１つを複数の小領域に分割し、その小領域毎に他の信号との類似性を求め、それらを集計することによって複数の信号間の類似性を評価する。
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】０１１３
【補正方法】削除
【補正の内容】
【手続補正１９】
【補正対象書類名】明細書
【補正対象項目名】０１１４
【補正方法】削除
【補正の内容】
【手続補正２０】
【補正対象書類名】明細書
【補正対象項目名】０１１５
【補正方法】変更
【補正の内容】
【０１１５】
このような信号処理装置は、入力された複数の信号の少なくとも１つを複数の小領域に分割し、その小領域毎に他の信号との類似性を求め、それらを集計することによって複数の信号間の類似性を評価する。
【手続補正２１】
【補正対象書類名】明細書
【補正対象項目名】０１１８
【補正方法】削除
【補正の内容】
【手続補正２２】
【補正対象書類名】明細書
【補正対象項目名】０１２２
【補正方法】削除
【補正の内容】
【手続補正２３】
【補正対象書類名】明細書
【補正対象項目名】０１２３
【補正方法】削除
【補正の内容】
【手続補正２４】
【補正対象書類名】明細書
【補正対象項目名】０１２４
【補正方法】変更
【補正の内容】
【０１２４】
このような信号処理プログラムは、入力された複数の信号の少なくとも１つを複数の小領域に分割し、その小領域毎に他の信号との類似性を求め、それらを集計することによって複数の信号間の類似性を評価する。
【手続補正２５】
【補正対象書類名】明細書
【補正対象項目名】０１２６
【補正方法】削除
【補正の内容】
【手続補正２６】
【補正対象書類名】明細書
【補正対象項目名】０１２７
【補正方法】削除
【補正の内容】
【手続補正２７】
【補正対象書類名】明細書
【補正対象項目名】０１２８
【補正方法】削除
【補正の内容】
【手続補正２８】
【補正対象書類名】明細書
【補正対象項目名】０１２９
【補正方法】削除
【補正の内容】
【手続補正２９】
【補正対象書類名】明細書
【補正対象項目名】０１３１
【補正方法】削除
【補正の内容】
【手続補正３０】
【補正対象書類名】明細書
【補正対象項目名】０１３２
【補正方法】削除
【補正の内容】
【手続補正３１】
【補正対象書類名】明細書
【補正対象項目名】０１３３
【補正方法】変更
【補正の内容】
【０１３３】
このような記録媒体に記録されている信号処理プログラムは、入力された複数の信号の少なくとも１つを複数の小領域に分割し、その小領域毎に他の信号との類似性を求め、それらを集計することによって複数の信号間の類似性を評価する。
【手続補正３２】
【補正対象書類名】明細書
【補正対象項目名】０１３５
【補正方法】削除
【補正の内容】
【手続補正３３】
【補正対象書類名】明細書
【補正対象項目名】０１３６
【補正方法】削除
【補正の内容】
【手続補正３４】
【補正対象書類名】明細書
【補正対象項目名】０１３７
【補正方法】削除
【補正の内容】
【手続補正３５】
【補正対象書類名】明細書
【補正対象項目名】０１３８
【補正方法】削除
【補正の内容】